(57)【要約】【課題】庫内湿度を低下させることなく霜取りを迅速に行なうことのできる冷蔵庫を提供する。【解決手段】圧縮機２３、凝縮器２５、絞り装置１９，２１とで冷凍サイクルを構成する冷蔵区画冷却用蒸発器１３及びその冷気循環用ファン２９と、冷凍区画冷却用蒸発器１５及びその冷気循環用ファン３９とを有する一方、前記冷蔵区画冷却用蒸発器１３へ戻る戻り冷気の一部、あるいは、全てが通るダクト３３内に前記戻り冷気を加熱するヒータ３５を設け、高い熱量を備えた戻り冷気で霜取りを行なう。【選択図】図１
2007120924.tif 000002
【特許請求の範囲】
【請求項１】
圧縮機、凝縮器、絞り装置とで冷凍サイクルを構成する冷蔵区画冷却用蒸発器及びその冷気循環用ファンと、冷凍区画冷却用蒸発器及びその冷気循環用ファンとを有し、前記冷蔵区画冷却用蒸発器へ戻る戻り冷気の一部、あるいは、全てが通るダクト内に前記戻り冷気を加熱するヒータを設けたことを特徴とする冷蔵庫。
【請求項２】
前記ヒータが設けられたダクトは、前記冷蔵区画冷却用蒸発器の庫内側前面に沿って配置されていることを特徴とする請求項１記載の冷蔵庫。
【請求項３】
前記ダクト内に設けられたヒータは、冷蔵区画冷却用蒸発器の上流側から２／３以下の領域内に位置していることを特徴とする請求項２記載の冷蔵庫。
【請求項４】
前記冷蔵区画冷却用蒸発器の上部配管に、霜取り完了を検知する配管温度検知センサを設けたことを特徴とする請求項３記載の冷蔵庫。
【請求項５】
前記戻り冷気を加熱するヒータは、ダクトの庫内側ダクト面に沿って設けられていることを特徴とする請求項２記載の冷蔵庫。
【請求項６】
前記戻り冷気を加熱するヒータは、蒸発器側ダクト面に沿って設けられていることを特徴とする請求項２記載の冷蔵庫。
【請求項７】
前記冷凍区画用蒸発器は、野菜室の庫内奥に設けられた冷蔵区画冷却用蒸発器の背面に配置されていることを特徴とする請求項１記載の冷蔵庫。
【発明の詳細な説明】
【技術分野】
【０００１】
本発明は冷蔵庫に関する。
【背景技術】
【０００２】
一般に冷蔵庫には、冷蔵室と野菜室とを冷却する冷蔵室用蒸発器と冷凍室を専用に冷却する冷凍室用蒸発器とを有している。
【０００３】
運転中に冷凍室用蒸発器に付着した霜は、蒸発器の運転停止モードの時にヒータ等の加熱手段で霜取りが行なわれる。一方、冷蔵室用蒸発器に付着した霜は、蒸発器の冷却運転停止モードの時に、ファンを作動し庫内を通過した戻り冷気を冷蔵室用蒸発器に通過させる循環を繰返すことで、戻り冷気が保有する熱によって霜取りが行なわれるようになっている。
【特許文献１】特開２００２−３０３４７４号公報
【発明の開示】
【発明が解決しようとする課題】
【０００４】
冷蔵室用蒸発器の霜取りは庫内戻り冷気の循環で行なわれているが、その理由は、例えば、冷蔵庫用蒸発器に付着した霜をヒータ等の加熱手段で直接霜取りを行なうと、溶けた時の蒸気は水と一緒に樋を介して外に排出されてしまい、庫内湿度が低下する不具合をかかえるためである。
【０００５】
一般に野菜室は、高い湿度が要求されるところから、戻り冷気循環タイプの霜取りの場合には、溶けた蒸気は庫内へ再び戻るようになるため、湿度低下を招くことはなく、霜取りが行なえる利便性を有する反面、戻り冷気の温度が低いと霜取りに時間がかかる問題をかかえる。特に、冬は外気温が低いこともあって庫内温度も低くなり易く、戻り冷気による霜取りに時間がかかる不具合を有する。
【０００６】
そこで、本発明にあっては、庫内湿度を低下させることなく迅速に霜取りが完了する新たな冷蔵庫を提供することを目的としている。
【課題を解決するための手段】
【０００７】
前記目的を達成するために、本発明にあっては、圧縮機、凝縮器、絞り装置とで冷凍サイクルを構成する冷蔵区画冷却用蒸発器及びその冷気循環用ファンと、冷凍区画冷却用蒸発器及びその冷気循環用ファンとを有し、前記冷蔵区画冷却用蒸発器へ戻る戻り冷気の一部、あるいは、全てが通るダクト内に前記戻り冷気を加熱するヒータを設けたことを特徴とする。
【発明の効果】
【０００８】
本発明によれば、冷蔵区画冷却用蒸発器へ戻る戻り冷気の例えば一部をヒータによって加熱し、戻り冷気の温度を高めることができるため、高い熱を保有した状態で通過し蒸発器に付着した霜を迅速に取除くことができる。この霜取り時に溶けた蒸気及び水分は再び庫内へ向かう循環を繰返すため、庫内湿度を低下させることなく霜取りを行なえるようになる。
【発明を実施するための最良の形態】
【０００９】
本発明にあっては第１に、前記ヒータが設けられたダクトを、前記冷蔵区画冷却用蒸発器の庫内側前面に沿って配置することで、霜取り運転時にダクト内を流れる戻り冷気を加熱する外に、ヒータからのヒータ熱がダクトを介して冷蔵区画冷却用蒸発器に直接与えられるようにする。
【００１０】
第２に、前記ダクト内に設けられたヒータを、冷蔵区画冷却用蒸発器の上流側から２／３以下の領域内に位置させることで、上流側から下流へ向かう加熱が可能となり、効率のよいヒータ加熱が得られるようにする。
【００１１】
第３に、前記冷蔵区画冷却用蒸発器の上部配管に、霜取り完了を検知する配管温度検知センサを設けることで、霜取りが一番遅れる下流側となる上部配管温度を検知することで、蒸発器全体の霜取りが完了したことを確実に知ることができるようにする。
【００１２】
第４に、前記戻り冷気を加熱するヒータを、ダクトの庫内側ダクト面に沿って設けることで、ヒータは庫内と近づくため、例えば、ヒータ熱を過冷却気味の庫内を暖める温度補償用ヒータとしての使用を可能とする。
【００１３】
第５に、前記戻り冷気を加熱するヒータをダクトの蒸発器側ダクト面に沿って設けることで、ヒータは冷蔵区画冷却用蒸発器と近づくため、戻り冷気加熱と直接伝導によるヒータ加熱の組合せによって迅速に霜取りが完了できるようにする。
【００１４】
第６に、前記冷凍区画用蒸発器を、野菜室の庫内奥に設けられた冷蔵区画冷却用蒸発器の背面に配置することで、冷凍室の収納容積の拡大を図るようにすると共に、冷凍区画冷却用蒸発器の冷気の影響を冷蔵区画冷却用蒸発器が強く受けたとしても、ヒータに加熱されたポテンシャルの大きい熱量を備えた戻り冷気を確保する。
【実施例】
【００１５】
以下、図１乃至図７の図面を参照しながら本発明の実施形態について具体的に説明する。
【００１６】
図１は本発明にかかる冷蔵庫の概要切断側面図を示している。
【００１７】
冷蔵庫１は上から順に、冷蔵室３、並列配置された製氷室５及び切替室７、野菜室９、冷凍室１１となっている。
【００１８】
冷凍室１１、野菜室９、製氷室５及び切替室７は冷蔵区画冷却用蒸発器１３によって、冷凍室１１は冷凍区画冷却用蒸発器１５によってそれぞれ庫内冷却が行なわれるようになっている。
【００１９】
冷蔵区画冷却用蒸発器１３及び冷凍区画冷却用蒸発器１５は、図４に示すように三方弁１７、絞り装置１９，２１を介して並列配置されるとともに、圧縮機２３，凝縮機２５とで冷凍サイクルを構成している。冷蔵区画冷却用蒸発器１３は、野菜室９の庫内奥（図１右側）に配置され、下流側となる上部配管には霜取り完了を検知する配管温度検知センサ２７を有する一方、冷気を循環させる冷気循環用ファン２９とを有している。
【００２０】
冷蔵区画冷却用蒸発器１３で熱交換された冷気は、前記冷気循環用ファン２９の作動で、冷却風の取入れを制御するダンパ（図示していない）を備えた冷気通路３１を介して冷蔵室３、製氷室５及び切替室７（通路は図示していない）、野菜室９へそれぞれ送られ、庫内冷却が行なわれた後、冷蔵区画冷却用蒸発器１３へ戻る。
【００２１】
この時、図２に示すように野菜室９を通過した戻り冷気は、ダクト３３を介して冷蔵区画冷却用蒸発器１３へ戻る循環を繰返す。
【００２２】
戻り冷気が通るダクト３３は、前方となる庫内側ダクト面３３ａと後側となる蒸発器側ダクト３３ｂと、左右の両ダクト面３３ｃとからなり、冷蔵区画冷却用蒸発器１３の庫内側前面に沿って配置されている。ダクト３３の内部には戻り冷気を加熱するヒータ３５が設けられている。
【００２３】
ヒータ３５は、野菜室９からの戻り冷気を加熱する手段となっており、配置場所としては、ダクト３３の庫内側ダクト面３３ａの内壁に設けられている。
【００２４】
これにより、ダクト３３の取入口７７からダクト３３内に流れる戻り冷気はヒータ３５により加熱された後、冷蔵区画冷却用蒸発器１３へ向かう流れが確保されるようになっている。
【００２５】
この場合、ヒータ３５を庫内側ダクト３３ｂの内側と外側に設け全部を加熱する組合せタイプとすることも可能となる。
【００２６】
また、その外にヒータ３５を設ける場所としては、図７に示すように蒸発器側ダクト面３３ｂの内壁に設けることも可能である。この実施形態の場合、ヒータ３５は、冷蔵区画冷却用蒸発器１３の上流側となる２／３以下の領域内に設置することが望ましい。
【００２７】
これにより、ヒータ３５は、戻り冷気を加熱する外に、ダクト３３を介してその熱伝導で直接冷蔵区画冷却用蒸発器１３を加熱する組合せ加熱手段となるため、迅速な霜取りが行なえるようになる。この時、ヒータ３５による直接加熱は蒸発器の下方となる上流側からとなるため、効率よい加熱ができるようになる。
【００２８】
一方、冷蔵区画冷却用蒸発器１３の背部には、冷凍区画冷却用蒸発器１５が配置され、冷気循環用ファン３９によって冷凍区画冷却用蒸発器１５で熱交換された冷気は冷凍室１１内を通過した後、再び冷凍区画冷却用蒸発器１５へ戻る循環を繰返すようになっている。
【００２９】
したがって、冷凍室１１の奥に冷凍区画冷却用蒸発器１５の設置スペースが不要となるため、その分、冷凍室容積の拡大が図れる。
【００３０】
一方、冷凍区画冷却用蒸発器１５の冷気の影響を強く受ける野菜室９には温度センサ４１によって庫内温度が規定以下となった時に野菜室９を暖める温度補償ヒータ４３が設けられている。
【００３１】
このように構成された冷蔵庫１によれば、霜取りを行なうには、冷蔵区画冷却用蒸発器１３を運転停止モードとして冷気循環用ファン２９を作動させる。
【００３２】
これにより、最終の野菜室９を通過した戻り冷気はダクト３３を介して冷蔵区画冷却用蒸発器１３へ戻り、再び循環する動作を繰返す。
【００３３】
この循環時に戻り冷気はダクト３３を通過する時にヒータ３５により加熱される。と同時に野菜室９の庫内はヒータ３５によるヒータ熱の熱伝導で暖められるため、野菜室９が冷凍区画冷却用蒸発器１５の冷気の影響を受けても規定温度以下には到達せず、温度補償ヒータ４３の運転休止時間を長くできるようになり、ランニングコスト面で大変好ましいものとなる。
【００３４】
一方、冷蔵区画冷却用蒸発器１３は、熱エネルギーが蓄えられた戻り冷気の循環によって霜取りが行なわれる。と同時に、前面のダクト３３を介してヒータ熱の熱伝導の働きによる組合せによって霜取りが迅速に行なわれる。この結果、霜取りは蒸発器の下方となる上流側から上方となる下流へ向って順次進んでいき、上部の配管温度検知センサ２７が検知することで、霜取りが完了する。この時、配管温度検知センサ２７は蒸発器上部配管に設けられているため、正確な霜取り完了を検知することができる。
【図面の簡単な説明】
【００３５】
【図１】本発明にかかる冷蔵庫の概要切断面図。
【図２】野菜室の庫内奥側に本発明を実施した要部の拡大説明図。
【図３】冷蔵庫の概要正面図。
【図４】冷凍サイクル図。
【図５】冷蔵区画冷却用蒸発器を通る冷気の循環を示した概要説明図。
【図６】冷凍区画冷却用蒸発器を通る冷気の循環を示した概要説明図。
【図７】ダクトに設けるヒータを蒸発器側ダクト面に設けた図２と同様の拡大説明図。
【符号の説明】
【００３６】
３    冷蔵室
５    製氷室
７    切替室
９    野菜室
１１    冷凍室
１３    冷蔵区画冷却用蒸発器
１５    冷凍区画冷却用蒸発器
１９，２１    絞り装置
２３    圧縮機
２５    凝縮器
２７    配管温度検知センサ
２９，３９    冷気循環用ファン
３３    ダクト
３３ａ    庫内側ダクト面
３３ｂ    冷蔵区画冷却用蒸発器側ダクト面
３５    ヒータ
【図１】
2007120924.tif 000003
【図２】
2007120924.tif 000004
【図３】
2007120924.tif 000005
【図４】
2007120924.tif 000006
【図５】
2007120924.tif 000007
【図６】
2007120924.tif 000008
【図７】
2007120924.tif 000009